(57)【特許請求の範囲】
【請求項１】
一端部に所定の生体部位を施療する施療部材を有し、他端部に係止部材を有するプランジャと、このプランジャを往復駆動する電磁機構と、プランジャの係止部材と当該係止部材に対向する電磁機構の端部との間に介設され、電磁機構の端部への係止部材の衝突を緩和する複数個の突起付き緩衝部材とを備えるマッサージ機において、
前記緩衝部材の突起は、プランジャの軸方向に対して斜めに交差する稜線と、この稜線によって形成され且つ前記軸方向に斜めに交差する傾斜面とを有することを特徴とするマッサージ機。
【請求項２】
前記突起は、緩衝部材の中心から等角度間隔で少なくとも３個設けられていることを特徴とする請求項１記載のマッサージ機。
【請求項３】
前記緩衝部材は、前記突起と突起の間に円錐状の突起を有することを特徴とする請求項１又は請求項２記載のマッサージ機。
【請求項４】
前記突起は、三角形台状であることを特徴とする請求項１、請求項２又は請求項３記載のマッサージ機。
【発明の詳細な説明】
【０００１】
【発明の属する技術分野】
本発明は、生体を叩く等の機械的刺激により施療するためのマッサージ機に関する。
【０００２】
【従来の技術】
その種のマッサージ機として、本体を手で持って叩き玉により人体の肩、背中、腰等に叩く機械的刺激を与え、肩凝りや腰痛等の施療を行うようにしたものがある。例えば、実開平７−１９２９号公報に記載された「マッサージ器」がそれである。このようなマッサージ機の主要部の概略構造断面図を図７及び図８に示す。
【０００３】
図７において、フレーム５０にヨーク板５１が取付けられ、ヨーク板５１内にコイル５２が配置され、コイル５２の内側においてフレーム５０にコア５３が固定されている。コイル５２の内側空間にはプランジャ６０が移動可能に挿通され、ヨーク板５１、コイル５２及びプランジャ６０でソレノイドが構成される。プランジャ６０の一端部（先端部）には施療部材としての叩き玉７０が取付けられ、叩き玉７０はクッション７１で覆われている。プランジャ６０の他端部（後端部）には係止板６１が取付けられ、この係止板６１が対向するヨーク板５１の端部に、複数の突起８１を有する弾性体８０が付設されている。又、フレーム５０と叩き玉７０との間において、プランジャ６０にはスプリング５５が嵌挿されている。
【０００４】
このマッサージ機では、常態においてはスプリング５５の付勢力により、プランジャ６０の係止板６１が弾性体８０の突起８１に軽く当接する。マッサージを行う場合は、本体を手で持って叩き玉７０を所定の部位に当てる。すると、プランジャ６０はソレノイド内に引っ込み、図７のような状態になる。そして、電源をＯＮにすると、ソレノイドにパルス電圧が印加される。電圧が印加されたときは、ソレノイドが励磁され、プランジャ６０が電磁力でソレノイドから飛び出し、図８のような状態になる。電圧が印加されないときは、叩き玉７０が人体部位により押されて、図７の状態に戻る。このような動作が繰り返されることで、人体部位に“叩く”という機械的刺激が付与される。
【０００５】
【発明が解決しようとする課題】
ところで、係止板６１とヨーク板５１の対応端部との間には弾性体８０が介設されているが、これは、ソレノイドが励磁されたときに、係止板６１がヨーク板５１の端部に直接衝突して打撃音や衝撃が発生するのを防止するためであり、係止板６１とヨーク板５１の端部との衝突を効果的に緩和するために、弾性体８０は突起８１を有する。
【０００６】
この突起８１による緩衝効果をより高めるために、特開平５−７６１５２号公報に記載された「マッサージ器」では、突起８１の軸方向の突出量を３段階以上とし、例えば突出量が大の突起を４個、中の突起を４個、小の突起を８個設けてある。それによると、係止板６１はまず突出量大の突起に当接して、衝撃力が急速に緩和され、次いで突出量中の突起によって更に衝撃力が緩和された後、突出量小の突起によって係止片６１の移動が停止する。
【０００７】
しかしながら、係止板６１と突起との衝突は段階的なものとなるため、プランジャ６０の先端部に取付けられた叩き玉７０の叩き動作も段階的になり、施療時の感触がマッサージ師のものと大きく異なるという問題がある。又、突起８１の突出量を３段階以上にしても、係止板６１がヨーク板５１の端部に衝突する際の金属音は解消できるが、施療時に発生する不快な打撃音を根本的に解決することができないという問題がある。
【０００８】
この発明は、そのような問題点に着目してなされたもので、施療時の感触をマッサージ師のものに近付け、耳障りな打撃音を抑えることのできるマッサージ機を提供することを目的とする。
【０００９】
【課題を解決するための手段】
前記目的を達成するために、本発明の請求項１記載のマッサージ機は、一端部に所定の生体部位を施療する施療部材を有し、他端部に係止部材を有するプランジャと、このプランジャを往復駆動する電磁機構と、プランジャの係止部材と当該係止部材に対向する電磁機構の端部との間に介設され、電磁機構の端部への係止部材の衝突を緩和する複数個の突起付き緩衝部材とを備えるものにおいて、前記緩衝部材の突起が、プランジャの軸方向に対して斜めに交差する稜線と、この稜線によって形成され且つ前記軸方向に斜めに交差する傾斜面とを有することを特徴とする。
【００１０】
このマッサージ機では、緩衝部材の突起が上記特定形状であるため、即ち突起が無段階の突出量を持つ形状であるため、プランジャの係止板が電磁機構の端部に衝突する際、係止板の動きが連続的に受け止められ、係止板がスムーズに停止する。この結果、プランジャ先端部の施療部材の動作も滑らかになり、施療感触がマッサージ師のものと同等になり、係止板が電磁機構の端部に衝突する際の衝撃音も効果的に吸収され、施療時の不快な打撃音が抑えられる。
【００１１】
【発明の実施の形態】
以下、本発明を実施の形態に基づいて説明する。
その実施形態に係るマッサージ機の側面図を図１に、その正面図を図２に、平面図（上面図）を図３に示す。このマッサージ機は、手で持つ把持部を兼ねる本体部１と、人体の所定部位に叩く施療動作を施すヘッド部２からなる。ヘッド部２には、往復運動（叩き動作）する叩き玉（施療部材）３１が取付けられている。本体部１には、強・弱・オフ切替スイッチ５と、スピード切替スイッチ６が設けられ、切替スイッチ５で叩き玉３１による叩く強さを切り替えることができ、切替スイッチ６で叩く動作の間隔を遅速に調整することができる。
【００１２】
ヘッド部２には、図４に示すような叩き機構が内蔵されている。ヘッド部２のハウジングに取付けられるフレーム１０にヨーク板１１が固定され、ヨーク板１１内に、コイル１２が巻回された中空ボビン１３が配置されている。中空ボビン１３の中空において、コア１４がフレーム１０に固定されると共に、プランジャ２０が移動可能に挿通され、プランジャ２０の前方への移動がコア１４によって規制される。これらヨーク板１１、コイル１２及びプランジャ２０でソレノイドが構成される。
【００１３】
プランジャ２０の一端部（先端部）には、叩き玉（施療部材）３１を有するアタッチメント３０が着脱可能に取付けられ、叩き玉３１はクッション３２で覆われている。プランジャ２０の他端部（後端部）には係止板２１が取付けられ、更に係止板２１には、複数個の突起４１ａ，４１ｂを有する緩衝部材４０が一体化されている。又、フレーム１０とアタッチメント３０との間において、プランジャ２０にはスプリング１５が嵌挿され、常態において、プランジャ２０はスプリング１５の付勢力によって前方に付勢され、緩衝部材４０の突起４１ａがヨーク板１１の端部に軽く当接する（図４の状態参照）。
【００１４】
緩衝部材４０は、例えば図５及び図６に示すような形態である。図５の緩衝部材４０は、衝撃吸収効果を高めるために複数（ここでは４個）の三角形台状の突起４１ｂと、複数（ここでは１２個）の円錐状の突起４１ａとを有する。突起４１ｂは、緩衝部材４０の中心から等角度（９０°）間隔で設けられ、この突起４１ｂ，４１ｂ間にそれぞれ３個の突起４１ａが設けられている。突起４１ｂは、プランジャ２０の軸方向に対して斜めに交差する稜線４３と、この稜線４３によって形成され且つ軸方向に斜めに交差する平坦な傾斜面４４とを有する。図５に示す形態では、稜線４３は長さや傾斜角度の異なるものが８本あり、傾斜面４４は形状・面積・傾斜角度の異なるものが６つある。なお、緩衝部材４０の中央には、プランジャ２０を挿通するための穴４２が形成され、ここでは突起４１ａが突起４１ｂよりも若干突出している（図４参照）。
【００１５】
図６の緩衝部材４０は、同様に１２個の円錐状の突起４１ａと、４個の三角形台状の突起４１ｂ′とを有する。突起４１ｂ′も、プランジャ２０の軸方向に対して斜めに交差する稜線４３と、この稜線４３によって形成され且つ軸方向に斜めに交差する平坦な傾斜面４４とを有する。ここでは、稜線４３は長さや傾斜角度の異なるものが５本あり、傾斜面４４は形状・面積・傾斜角度の異なるものが４つある。
【００１６】
図４のような叩き機構を内蔵するマッサージ機は、本体部１を手で持って人体の所定部位（肩、背中、腰等）にヘッド部２の叩き玉３１を当てる。すると、常態では図４の状態にあるプランジャ２０は、スプリング１５の付勢力に抗して後退し、それに伴って緩衝部材４０の突起４１ａがヨーク板１１の端部から離れる。
【００１７】
ここで、切替スイッチ５をＯＮ（強又は弱）にすると、コイル１２にパルス電圧が印加され、ソレノイドが励磁される。即ち、パルス電圧が印加されると、プランジャ２０が電磁力により前方に移動してコア１４に当接すると共に、緩衝部材４０の突起４１ａ，４１ｂがヨーク板１１の端部に衝突する。このとき、突起４１ａ，４１ｂが凹むことで、ヨーク板１１に対する係止板２１の衝撃が緩和される。又、プランジャ２０が前方に最大限に勢いよく移動することで、叩き玉３１が所定部位を叩く。
【００１８】
パルス電圧が印加されないときは、ソレノイドが励磁されず、叩き玉３１が人体部位によって押されることで、プランジャ２０がパルス電圧印加前の状態に戻る。次いで、再びパルス電圧が印加されると、前記したようにプランジャ２０が前方に移動し、叩き玉３１が叩く動作を行う。このような動作が繰り返されることで、叩き玉３１による叩き動作が連続する。
【００１９】
この叩き動作のとき、緩衝部材４０の突起４１ｂが図５や図６に示す特定形状であるため、突起の突出量を３段階以上とする従来に比べて、プランジャ２０の係止板２１の動きが突起４１ｂと突起４１ａとの相乗作用により一段と滑らかに停止する。これにより、プランジャ２０の先端部の叩き玉３１の動作がスムーズになり、マッサージ師の行うマッサージの感触と同等のマッサージ感触が得られる。しかも、係止板２１の動きがスムーズに停止するため、係止板２１とヨーク板１１の端部との衝撃音が効果的に吸収され、施療時に発生する連続的な打撃音が抑えられる。
【００２０】
なお、上記実施形態のマッサージ機では、緩衝部材４０はプランジャ２０の係止板２１に一体に設けられているが、ヨーク板１１の端部に設けてもよく、係止板２１とヨーク板１１との衝突を緩和できるのであれば、緩衝部材４０を設ける箇所は限定されない。
【００２１】
【発明の効果】
以上説明したように、本発明のマッサージ機によれば、緩衝部材の突起が特定形状であるため、下記の効果が得られる。
（１）プランジャの係止板の動きが特定形状の突起によって連続的に受け止められ、係止板がスムーズに停止するため、プランジャ先端部の施療部材の動作も滑らかになり、その施療感触がマッサージ師のものと同等になる。
（２）係止板が電磁機構の端部に衝突する際の衝撃音が効果的に吸収され、施療時の不快な打撃音が抑えられる。
【図面の簡単な説明】
【図１】実施形態に係るマッサージ機の側面図である。
【図２】同マッサージ機の正面図である。
【図３】同マッサージ機の平面図（上面図）である。
【図４】同マッサージ機のヘッド部に内蔵される叩き機構の一部破断断面図である。
【図５】同叩き機構に使用される緩衝部材の一形態を示す斜視図である。
【図６】同叩き機構に使用される緩衝部材の別形態を示す斜視図である。
【図７】従来例に係るマッサージ機の主要部の概略構造の一状態を示す断面図である。
【図８】従来例に係るマッサージ機の主要部の概略構造の別状態を示す断面図である。
【符号の説明】
１          本体部
２          ヘッド部
１１        ヨーク板
１２        コイル
２０        プランジャ
２１        係止板
３１        叩き玉（施療部材）
４０        緩衝部材
４１ａ      突起
４１ｂ      特定形状の突起
４１ｂ′    特定形状の突起
４３        稜線
４４        傾斜面
【図１】
0003674663.tif 000002
【図２】
0003674663.tif 000003
【図３】
0003674663.tif 000004
【図４】
0003674663.tif 000005
【図５】
0003674663.tif 000006
【図６】
0003674663.tif 000007
【図７】
0003674663.tif 000008
【図８】
0003674663.tif 000009